(57)【要約】【課題】ビル等の電気工事において、電線管等の管体を容易かつ適切に取り付け固定する。【解決手段】管体Ｈの長手方向とは交差した開口部１ａを形成して対向する一対の係止片１ｂを備えた架台１と、帯状の固定部材２の両先端部の両外側縁に、係止片１ｂの内側面に当接して管体Ｈを保持可能な爪部２ａを有するので、作業員は固定部材２両端部を開口部１ａへの押し込み、爪部２ａを係止片１ｂの裏面に容易かつ確実に取り付け固定できる。【選択図】図１
2008061358.tif 000002
【特許請求の範囲】
【請求項１】
弾性を有して、管体を跨ぎ得るように湾曲させた帯状の固定部材と、この固定部材が前記管体を跨いだ両先端部を係止して前記管体を保持する架台とからなる管体固定具において、
前記架台は、前記管体の長手方向とは交差した開口部を形成して対向する一対の係止片を有し、
前記固定部材は、前記両先端部の両外側縁に、前記一対の係止片の内側面に当接して前記管体を保持可能な爪部を有する
ことを特徴とする管体固定具。
【請求項２】
前記固定部材は、前記係止片の外側面に当接し、前記爪部とともに係止片を挟持可能な舌片を有することを特徴とする請求項１に記載の管体固定具。
【請求項３】
前記固定部材は、長手方向の先端部に向けて広がり開口する切り欠きを有することを特徴とする請求項１または請求項２に記載の管体固定具。
【請求項４】
前記固定部材は、外側に向けて突設させたＵ字状の折り曲げ部を中央部に有することを特徴とする請求項１ないし請求項３のうちのいずれか１項に記載の管体固定具。
【発明の詳細な説明】
【技術分野】
【０００１】
本発明は、弾性を有して、電線管等の管体を跨ぎ得るように湾曲させた帯状の固定部材を架台に係止させて固定する管体固定具の改良に関する。
【背景技術】
【０００２】
ビル内における電気工事等においては、多数本の配線ケーブルを貫通させた電線管等の管体を建造物の床や柱等に固定することで配線ケーブルの敷設が行われることがある。
【０００３】
電線管等の管体を床や柱等に固定するためには、ベース部材となる管体取り付け用の架台を建物の床や柱等にまず固定し、その取り付けた架台上に管体をサドル状の固定部材を跨がせて、ドライバ（ｄｒｉｖｅｒ）を操作して、その固定部材の両端部を架台にビス(ねじ)止め固定する構造が提案されている（例えば、特許文献１参照。）。
【特許文献１】特開２００５−１０６２７９号公報
【発明の開示】
【発明が解決しようとする課題】
【０００４】
しかしながら、上記のような管体に覆い被せたサドル状あるいは帯状の固定部材の両端部で架台にビス止め固定する従来の管体固定具では、作業員が固定部材の一方の端部を架台にビス止め固定する場合はともかくとして、残りの他方の端部を架台にビス止め固定しようとすると、管体の反発力を抑えつつドライバ操作をおこなわなければならないので、取り付け作業が面倒であった。
【０００５】
また、管体が架台に固定された後は、管体自体が止め具であるビスに対し、振動等によりビスが緩む方向に力を作用するので、ビスの緩みにより、管体を締め付け一度固定した固定部材が脱落する恐れがあった。
【０００６】
そこで、本発明は、簡単な構造で、作業員が管体を容易にまた確実に架台に取り付け固定が可能で、耐久性の良好な管体固定具を提供することを目的とする。
【課題を解決するための手段】
【０００７】
本発明は、弾性を有して、管体を跨ぎ得るように湾曲させた帯状の固定部材と、この固定部材が前記管体を跨いだ両先端部を係止して前記管体を保持する架台とからなる管体固定具において、前記架台は、前記管体の長手方向とは交差した開口部を形成して対向する一対の係止片を有し、前記固定部材は、前記両先端部の両外側縁に、前記一対の係止片の内側面に当接して前記管体を保持可能な爪部を有することを特徴とする。
【発明の効果】
【０００８】
上記のように、本発明に係る管体固定具は、架台が、管体の長手方向とは交差した開口部を形成して対向する一対の係止片を有し、また固定部材は、両先端部の両外側縁に、一対の係止片の内側面に当接して管体を保持可能な爪部を有するので、作業員は、固定部材両端部を開口部への押し込み、爪部を係止片の裏面に係止させるという簡単に操作で管体管を取り付け固定できる。
【０００９】
また、本発明の管体固定具は、固定部材の爪部が係止片の内側面に係止する構造からなるので、固定部材の緩みによる管体の外れを的確に防ぐことができ、固定された管体の安定化が図れる。
【発明を実施するための最良の形態】
【００１０】
以下、本発明による管体固定具の一実施例を図１ないし図３を参照して詳細に説明する。
【００１１】
図１は、本発明による管体固定具の一実施例を示した分解斜視図で、図２（ａ）は図１に示した管体固定具が管体を固定した状態での正面図、図２（ｂ）は図２（ａ）の平面図、図２（ｃ）は図２（ａ）の右側面図、図３は図２（ｃ）の要部拡大図である。
【００１２】
すなわち、図１ないし図３において、配管等の管体Ｈを保持して不図示のビル等の建物内に敷設するための架台１は、図示のように管体Ｈの長手方向とは交差した断面Ｕ字状に形成され、開口部１ａを形成して、対向した一対の係止片１ｂ，１ｂを備えている。
【００１３】
一方、湾曲方向に弾性を有し、管体Ｈを跨ぐように形成された帯状の固定部材２は、長手方向の先端部の両側に、係止片１ｂ，１ｂの内側面に当接して管体Ｈを保持する爪部２ａ，２ａを有している。
【００１４】
また、特に図３に示したように、固定部材２は、爪部２ａ，２ａに対向しつつ、爪部２ａ，２ａとともに架台１の係止片１ｂ，１ｂを挟持可能な舌片２ｂ，２ｂを、スリット舌片２ｂａ，２ｂａにより形成されている。
【００１５】
また、固定部材２は、長手方向の先端部に向けて広がり開口する切り欠き２ｃを有するとともに、長手方向の中央部には図示のように、外側に突設したＵ字状の折り曲げ部２ｄが形成されている。なお、固定部材２の切り欠き２ｃ形成では、図３に示したように、切り欠き２ｃ形成の先端部から左右の外側縁において、爪部２ａ，２ａにかけてテーパー状（傾斜状）に形成されていて、先端部を開口部１ｂに押し込み挿入しやすい形状とされている。
【００１６】
上記構成の管体固定具において、作業員が管体Ｈを架台１に取り付け固定するときには、弾性を有して湾曲した固定部材２を押し広げつつ、架台１に載置した管体Ｈに押し込み、長手方向の両先端部を架台１の開口部１ａ内に押し込み挿入し、爪部２ａが係止片１ｂの内側面に当接係止するように取り付ける。
【００１７】
このとき、図２（ｃ）及び図３に示したように、それぞれスリット２ｂａ形成により設けられた舌片２ｂ，２ｂは、爪部２ａとともに係止片１ｂを強く挟み込んで安定し、その保持力により、管体Ｈが架台１の長手方向に移動するのを防止する。また、管体Ｈが架台１の長手方向への移動をより防ぐために、係止片１ｂに接触する舌片２ｂ，２ｂ及び爪部２ａの各面にいわゆるローレット目を形成させ、摩擦抵抗が大となるようにしても良い。
【００１８】
また、図１及び図２に示したように、固定部材２の中央部（すなわち頂部）は、外側にＵ字状に折り曲げ形成したので、管体Ｈへの押さえ込みに際し、弾性力により、管体Ｈに対する押圧力が維持継続されるように形成されている。
【００１９】
また、上記構成において、固定部材２の両先端部には、長手方向の先端部に端部辺に向けて広がり開口する切り欠き２ｃを設けたので、作業員が先端部を架台１の開口部１ａに押し込み、爪部２ａが係止片１ｂに係止させるとき、押し込み操作により、切り欠き２ｃの開口が狭まるので、作業員の固定部材２の架台１に対する取り付け操作が容易である。
【００２０】
以上説明のように、この実施例に係る管体固定具によれば、簡単な構成により、作業員は管体固定を容易に行うことができるととともに、爪部の係止片への係止により、安定した管体固定を実現できる。
【００２１】
なお、管体Ｈには銅製や塩化ビニル製が多く、また架台１は例えばステンレス製とすることができ、固定部材２は、防食効果の高い合成樹脂製とすることができる。
【図面の簡単な説明】
【００２２】
【図１】本発明による管体固定具の一実施例を示した分解斜視図である。
【図２】図２（ａ）は図１に示した管体固定具の正面図、図２（ｂ）は図１に示した管体固定具の平面図、図２（ｃ）は図１に示した管体固定具の右側面図である。
【図３】図２（ｃ）の要部拡大図である。
【符号の説明】
【００２３】
１  架台
１ａ  開口部
１ｂ  係止片
２  固定部材
２ａ  爪部
２ｂ  舌片
２ｂａ  スリット
２ｃ  切り欠き
２ｄ  折り曲げ部
Ｈ  管体
【図１】
2008061358.tif 000003
【図２】
2008061358.tif 000004
【図３】
2008061358.tif 000005